(57)【要約】【課題】厚みを抑えて、見栄えや肌触りを向上させたレザー製品を提供する。【解決手段】レザー製品１は、表面にカーボンパターンを有する短冊状の皮革３を格子状に編み込んだ外面革２を備える。カーボンパターンは、皮革３の表面に圧着されたカーボンパターンフィルム５である。皮革３は牛革であり、銀付き革であり、厚みが０．５ｍｍ以上１ｍｍ未満である。【選択図】図１
0003216615.tif 000002
【実用新案登録請求の範囲】
【請求項１】
表面にカーボンパターンを有する短冊状の皮革を格子状に編み込んだ外面革を備えることを特徴とするレザー製品。
【請求項２】
前記カーボンパターンは、前記皮革の表面に圧着されたカーボンパターンフィルムであることを特徴とする請求項１に記載のレザー製品。
【請求項３】
前記皮革は、牛革であることを特徴とする請求項１または２に記載のレザー製品。
【請求項４】
前記皮革は、銀付き革であることを特徴とする請求項１から３のうちいずれか一項に記載のレザー製品。
【請求項５】
前記皮革は、厚みが０．５ｍｍ以上１ｍｍ未満であることを特徴とする請求項１から４のうちいずれか一項に記載のレザー製品。
【考案の詳細な説明】
【技術分野】
【０００１】
本考案は、レザー製品に関する。
【背景技術】
【０００２】
短冊状の皮革を格子状に編み込んだ革材がある。イタリアのボッテガ・ヴェネタ社が開発した「イントレチャート」と呼ばれるレザーの編み込み技法が知られている。
【先行技術文献】
【特許文献】
【０００３】
【特許文献１】特開２０１４−１８１２５３号公報
【考案の概要】
【考案が解決しようとする課題】
【０００４】
短冊状の皮革を格子状に編み込むと、皮革が破断しやすい。このため、引張強度が高い床革が用いられる。床革は、厚みがあるため強度が高い。床革は、コストが安いため、レザー製品に多用されている。
【０００５】
しかし、床革を短冊状にして格子状に編み込むと、レザー製品の厚みが増大してしまう。このため、レザー製品の見栄えや肌触りが悪くなるという課題がある。
【０００６】
本考案が解決しようとする課題は、厚みを抑えて、見栄えや肌触りを向上させたレザー製品を提供することである。
【課題を解決するための手段】
【０００７】
本考案のレザー製品の第一実施態様は、表面にカーボンパターンを有する短冊状の皮革を格子状に編み込んだ外面革を備えることを特徴とする。
【０００８】
本考案のレザー製品の第二実施態様は、第一実施態様において、前記カーボンパターンは、前記皮革の表面に圧着されたカーボンパターンフィルムであることを特徴とする。
【０００９】
本考案のレザー製品の第三実施態様は、第一または第二実施態様において、前記皮革が牛革であることを特徴とする。
【００１０】
本考案のレザー製品の第四実施態様は、第一から第三実施態様のいずれかにおいて、前記皮革が銀付き革であることを特徴とする。
【００１１】
本考案のレザー製品の第五実施態様は、第一から第四実施態様のいずれかにおいて、前記皮革の厚みが０．５ｍｍ以上１ｍｍ未満であることを特徴とする。
【考案の効果】
【００１２】
本考案のレザー製品によれば、厚みを抑えて、見栄えや肌触りを向上させたレザー製品を実現できる。
【図面の簡単な説明】
【００１３】
【図１】実施形態のレザー製品１の閉じた状態を示す斜視図である。
【図２】レザー製品１の開いた状態を示す斜視図である。
【図３】レザー製品１の表面（外面革）の拡大図である。
【図４】実施形態のレザー製品７の閉じた状態を示す斜視図である。
【図５】レザー製品７の開いた状態を示す斜視図である。
【考案を実施するための形態】
【００１４】
本考案のレザー製品の実施形態について、図面を参照しながら説明する。
図１は、実施形態のレザー製品１の閉じた状態を示す斜視図である。
図２は、レザー製品１の開いた状態を示す斜視図である。
図３は、レザー製品１の表面（外面革２）の拡大図である。
【００１５】
レザー製品１は、牛革製の財布である。レザー製品１は、長財布である。このレザー製品１は、短冊状の皮革３を格子状に編み込んだ外面革２を備える。つまり、レザー製品１の外面革２は、短冊状の皮革３を平織りして形成される。
【００１６】
外面革２は、イントレチャートと呼ばれる編み込み技法により製作される。具体的には、外面革２は、短冊状の複数の皮革３を平織りして製作される。
【００１７】
皮革３は、その表面にカーボンパターンフィルム５が熱圧着される。
カーボンパターンフィルム５は、例えばＰＶＣからなり、１ｍｍ未満の厚みを有する。また、カーボンパターンフィルム５は、その表面にカーボンパターンを有する。
【００１８】
カーボンパターンとは、黒と白あるいは銀のグラデーション模様を互い違いに配置した柄である。すなわち、カーボンパターンは、カーボンの綾織りを再現したパターン柄である。
カーボンパターンは、カーボンテクスチャパターンとも呼ばれる。カーボンパターンは、カーボンの平織を再現したパターン柄であってもよい。
【００１９】
各皮革３の表面にカーボンパターンフィルム５が圧着される。このため、外面革２の表面にカーボンパターンが現れる。すなわち、レザー製品１の表面にカーボンパターンが現れる。
【００２０】
皮革３は、天然皮革である。皮革３は、例えば牛革である。
また、皮革３は銀付き革である。銀付き革は、本革、銀面革、一層目、トップレイヤー等とも呼ばれる。
【００２１】
皮革３には、銀付き革の表面を薄く削ったものが用いられる。革表面の汚れや傷などを取り除くためである。皮革３は、厚みが例えば０．５ｍｍ以上１ｍｍ未満である。
【００２２】
皮革３は、厚みが０．５ｍｍ以上１ｍｍ未満であって、床革に比べて引張強度が高い。しかも、その表面にカーボンパターンフィルム５が圧着されているため、引張強度が向上する。
【００２３】
したがって、短冊状の皮革３を平織りして、イントレチャートと呼ばれる外面革２を製作すると、従来よりも厚みが薄く形成される。外面革２の厚みは、例えば２ｍｍ以下である。
【００２４】
よって、レザー製品１は、外面革２の厚みが薄く、見栄えや肌触りがよくなる。しかも、表面（外面革２）にカーボンパターンが現れるため、意匠性が高く、レザー製品１の商品価値が向上する。
【００２５】
本考案の実施形態は、例として提示したものであり、考案の範囲を限定することは意図していない。これらの新規な実施形態は、その他の様々な形態で実施されることが可能であり、考案の要旨を逸脱しない範囲で、種々の省略、置き換え、変更を行うことができる。これらの実施形態やその変形は、考案の範囲や要旨に含まれるとともに、実用新案登録請求の範囲に記載された考案とその均等の範囲に含まれる。
【００２６】
皮革３は、銀付き革に限らず、二層目や床革を用いてもよい。
皮革３は、牛革に限らず、シープスキンやディアスキン等を用いてもよい。
皮革３は、厚みが０．５ｍｍ以上１ｍｍ未満の場合に限らず、１ｍｍ以上であってもよい。
【００２７】
フィルムは、カーボンパターンフィルムに限らない。他の柄を有するフィルムであってもよい。
フィルムは、ＰＶＣに限らず、他の素材であってもよい。
フィルムは、熱圧着する場合に限らず、例えば接着剤等を用いて皮革に貼り付ける場合であってもよい。
【００２８】
図４は、実施形態のレザー製品７の閉じた状態を示す斜視図である。
図５は、レザー製品７の開いた状態を示す斜視図である。
レザー製品は、長財布に限らない。図４，図５に示すように、レザー製品７は、二つ折り財布であってもよい。
【００２９】
さらに、レザー製品は、名刺入れ、書類入れ、カバン、バッグ、カードケース、携帯電話ケース等であってもよい。
【符号の説明】
【００３０】
１  レザー製品（長財布）  
２  外面革  
３  皮革  
５  カーボンパターンフィルム  
７  レザー製品（二つ折り財布）    
【図１】
0003216615.tif 000003
【図２】
0003216615.tif 000004
【図３】
0003216615.tif 000005
【図４】
0003216615.tif 000006
【図５】
0003216615.tif 000007